(57)【要約】【課題】  本発明は、加飾積層体において鏡面層からの反射を光利用するものであり、見る角度により、加飾効果がダイナミックに変化し加飾効果を隠したり現出させたりすることが可能な視覚効果を付与することを技術的課題とするものである。【解決手段】  加飾積層体において、透明な合成樹脂製の基板の裏面側に鏡面層を積層し、表面側に所定のパターンで加飾層を積層し、さらに加飾層を被覆するように光の透過の遮蔽が可能に遮蔽層を積層し、基板の表面側を該表面に対して垂直方向から見ると、遮蔽層により加飾層による加飾効果の現出が不能に、また垂直方向に対して斜め方向から見ると、遮蔽層の非積層領域から鏡面層による加飾層の虚像による加飾効果の現出が可能に構成する。【選択図】            図３
2014030924.tif 000002
【特許請求の範囲】
【請求項１】
透明な合成樹脂製の基板(1)の裏面側に鏡面層(2)を積層し、表面側に所定のパターンで加飾層(3)を積層し、さらに前記加飾層(3)を被覆するように光の透過の遮蔽が可能に遮蔽層(4)を積層し、前記基板(1)の表面側を該表面に対して垂直方向から見ると、前記遮蔽層(4)により加飾層(3)による加飾効果の現出が不能に、また垂直方向に対して斜め方向から見ると、前記遮蔽層(4)の非積層領域(N)から、鏡面層(2)により形成される加飾層(3)の虚像(3v)による加飾効果の現出が可能に構成した加飾積層体。
【請求項２】
加飾層(3)と遮蔽層(4)の積層態様を、加飾層(3)の端縁(3e)が遮蔽層(4)の端縁(4e)以内に位置する構成とした請求項１記載の加飾積層体
【請求項３】
遮蔽層(4)を金属箔膜層(4m)とした請求項１または２記載の加飾積層体。
【請求項４】
鏡面層(2)を遮蔽層(4)に使用する金属箔膜層(4m)と同種のものとした請求項３記載の加飾積層体。
【請求項５】
遮蔽層(4)を印刷層(4a)とした請求項１または２記載の加飾積層体。
【請求項６】
加飾層(3)を印刷層(3a)とした請求項１、２、３、４または５記載の加飾積層体。
【請求項７】
加飾層(3)をホログラム層(3h)とした請求項１、２、３、４または５記載の加飾積層体。
【請求項８】
加飾層(3)の積層パターンを縞模様とした請求項１、２、３、４、５、６または７記載の加飾積層体。
【発明の詳細な説明】
【技術分野】
【０００１】
本発明は鏡面層を利用して高度な加飾性を発揮するようにした加飾積層体に関する。
【背景技術】
【０００２】
パケージにおける装飾性が商品力の大きな部分を占める化粧料用等の容器においては、塗装、印刷等によりさまざまな装飾性を発揮させて商品イメージを大きく向上させることが望まれている。
たとえば特許文献１には、成形品の表面に、金属箔膜層による鏡面層／透明塗膜層／印刷層を形成し、鏡面層からの反射光により所定のパターンに形成した印刷層の周縁部を縁取りして、模様を立体的に現出することが記載されている。
【先行技術文献】
【特許文献】
【０００３】
【特許文献１】特開２００７−１４４９０８号公報
【発明の概要】
【発明が解決しようとする課題】
【０００４】
本発明は、上記のような鏡面層からの反射光を利用するものであり、さらに見る角度により、加飾効果がダイナミックに変化し加飾効果を隠したり現出させたりすることが可能な視覚効果を付与することを技術的課題とするものである。
【課題を解決するための手段】
【０００５】
上記技術的課題を解決する手段のうち、本発明の加飾積層体の主たる構成は、
透明な合成樹脂製の基板の裏面側に鏡面層を積層し、
表面側に所定のパターンで加飾層を積層し、
さらに加飾層を被覆するように光の透過の遮蔽が可能に遮蔽層を積層し、
基板の表面側を該表面に対して垂直方向から見ると、遮蔽層により加飾層による加飾効果の現出が不能に、
また垂直方向に対して斜め方向から見ると、遮蔽層の非積層領域から、鏡面層により形成される加飾層の虚像による加飾効果の現出が可能に構成する、と云うものである。
【０００６】
上記構成によれば、透明な合成樹脂製の基板の裏面側に積層した鏡面層による光の反射を利用して、表面側から基板を見る方向によって、加飾効果をさまざまな態様で基板の表面側に現出させることができる。
特に、加飾層を被覆するように光の透過を遮蔽する遮蔽層を積層すると云う構成により、基板の表面に対して垂直方向から見た際には、遮蔽層により加飾層による加飾効果が見えないように、また垂直方向に対して斜め方向から見ると、遮蔽層の非積層領域から鏡面層により形成される加飾層の虚像による加飾効果が見えるようにすることが可能となる。
【０００７】
そして、見る方向について垂直方向からの角度を大きくしていくと、加飾層の加飾効果が見えない状態からまず加飾層の虚像の端縁が見え、徐々に見える範囲が広がっていくようにすることが可能となる。
ここで、加飾層により現出する加飾効果は鏡面層により形成される加飾層の虚像によるものであり、この虚像は透明の基板の奥深く見え３次元的な視覚効果を高度に発揮させることが可能となる。
また、遮蔽層の端縁、すなわちエッジを加飾層の虚像で縁取りするような加飾態様とすることもでき、遮蔽層が透明な基板のなかで浮いたような視覚効果を発揮させることが可能となる。
なお、上記構成や以下の説明では積層体における各層の積層の順番や、積層の方向を明確にするために、便宜上「表面側」、「裏面側」と云う用語を使用している。
表面側は加飾効果が現出する側、裏面側はその反対側である。
【０００８】
ここで、見る角度によって、加飾層の虚像が見えるか見えないか、あるいはどの程度の範囲が見えるかは、基板の厚さと、加飾層と遮蔽層の積層態様、特に加飾層の端縁と遮蔽層の端縁の位置関係により算出することができる。
従って、基板の厚さ、加飾層の種類と積層パターン、遮蔽層の種類と積層パターン、加飾層と遮蔽層の積層態様を組み合わせることにより、加飾効果をさまざまな態様で現出させることが可能となる。
【０００９】
本発明の他の構成は、上記主たる構成において、加飾層と遮蔽層の積層態様を、加飾層の端縁が遮蔽層の端縁以内に位置する構成とする、と云うものである。
【００１０】
上記構成により、少なくとも加飾層の端縁と遮蔽層の端縁を一致させる構成とすることにより、垂直方向から見た際に加飾層による加飾効果を見えなくすることが可能となり、見る角度の変化により、加飾層が見えない状態から徐々に出現すると云うダイナミックな変化を付与することが可能となる。
ここで、加飾層の端縁の位置を遮蔽層の端縁から内側に後退させると、その分、広い角度範囲で、加飾層による加飾効果を見えなくすることができ、加飾目的に合わせてその範囲を調整することができる。
さらに、加飾層の端縁の遮蔽層の端縁に対する位置は全周に沿って一定である必要はなく、加飾目的に応じて変化させることもできる。
【００１１】
本発明のさらに他の構成は、上記主たる構成において、遮蔽層を金属箔膜層する、と云うものである。
【００１２】
上記構成の場合は、垂直方向から見た際、遮蔽層を形成する金属箔膜層と、裏面側の鏡面層が一体となって、基板全体にメタリック調の光沢を付与することが可能となる。
【００１３】
本発明のさらに他の構成は、上記構成において、鏡面層を遮蔽層に使用する金属箔膜層と同種のものとする、と云うものである。
【００１４】
鏡面層としては、アルミニウム箔や表面を鏡面化した金属薄板片等も積層して使用することができるが、
上記構成に有るように、鏡面層と遮蔽層を形成する金属箔膜層の双方を、例えば金属蒸着層とすると云うように、同種の金属箔膜層で形成することにより、垂直方向から見た際に遮蔽層と鏡面層の境界が目立つことなく、基板全体に均一にメタリック調の光沢を付与することが可能となる。
なお、上記構成で金属箔膜層が同種であるとは、金属箔膜層の材質、色合い、あるいは光沢性等が同種であること指し、これら性状をすべて同種にすることは勿論のこと、いずれかの性状を同種とすることも含まれる。
また、金属箔膜層は真空蒸着やスパッタリングにより直接積層することも可能であるが、真空蒸着やスパッタリング層を積層した転写フィルムを用意し、ホットスタンプにより積層することもできる。
【００１５】
本発明のさらに他の構成は、上記主たる構成において、遮蔽層を印刷層とすると云うものである。
【００１６】
上記構成では、印刷層で形成した遮蔽層自体に加飾層としての機能を発揮させることができる。
【００１７】
本発明のさらに他の構成は、上記主たる構成において、加飾層を印刷層とする、と云うものである。
また、本発明のさらに他の構成は、上記主たる構成において、加飾層をホログラム層とする、と云うものである。
【００１８】
上記２つ構成は、加飾層の具体的な例であるが、
印刷層の色合いにより加飾目的に応じてさまざまな加飾効果を発揮させることができ、さらには濃度や、色合いをグラデーション状に変化させてより高度な加飾効果を現出させることも可能である。
また、ホログラム層には表面に凹凸を形成してホログラム形成面とした透明なホログラムフィルムを用いることができ、ホログラム層と鏡面層との光学的な作用により虹色に煌くような、さらには浮かび上がるような視覚効果を現出させることができる。
【００１９】
なお、加飾層と遮蔽層は別工程で積層することも可能であるが、加飾層と遮蔽層を所定のパターンで予め積層した転写フィルムを用意しておき、ホットスタンプにより基板の表面側に積層する方法が、両者の端縁のずれを予め決められた量に高精度で再現することができる、また生産性が高い等の観点から好ましい。
【００２０】
本発明のさらに他の構成は、上記主たる構成において、加飾層の積層パターンを縞模様とすると云うものである。
【００２１】
上記構成によれば、縞模様では例えば帯状模様が並列状に繰り返し現れるが、同じ位置から見ても、基板上での個々の帯状模様によって見る角度が異なるので、加飾層の見える範囲が徐々に変化して、面白い加飾効果が発揮される。
もちろん、加飾層の形成パターンは限定されるものではなく、加飾目的応じて文字、図案、絵柄等の模様を採用することができる。
【発明の効果】
【００２２】
本発明の加飾積層体は上記した構成であり、加飾層を被覆するように光の透過を遮蔽する遮蔽層を積層すると云う構成により、基板の表面に対して垂直方向から見た際には、遮蔽層により加飾層による加飾効果が見えないように、また垂直方向に対して斜め方向から見ると、遮蔽層の非積層領域から鏡面層により形成される加飾層の虚像による加飾効果が見えるようにすることができる。
【００２３】
そして、見る方向について垂直方向からの角度を大きくしていくと、加飾層による加飾効果が見えない状態からまず加飾層の虚像の端縁が見え、徐々に見える範囲が広がっていくようにすることができ、鏡面層による立体的な視覚効果と相俟って、加飾効果を高度に、またダイナミックに変化させて現出させることができる。
また、基板の厚さ、印刷層やホログラム層等の加飾層の種類と積層パターン、金属箔膜層や印刷層等の遮蔽層の種類と積層パターン、加飾層と遮蔽層の積層態様を組み合わせることにより、加飾効果をさまざまな態様で現出させることができる。
【図面の簡単な説明】
【００２４】
【図１】本発明の加飾積層体の第１実施例を示す平面図である。
【図２】図１中のＡ−Ａ線に沿って示す断面図である。
【図３】図１の加飾積層体を前方左側斜め上方から見た斜視図である。
【図４】鏡面層による加飾層の虚像の見え方を説明する概略説明図である。
【図５】（ａ）は本発明の加飾積層体の第２実施例を示す平面図、（ｂ）は加飾層の積層パターンを示す平面図である。
【図６】図５（ａ）の加飾積層体を前方斜め上方から見た斜視図である。
【図７】本発明の加飾積層体の第３実施例を示す平面図である。
【図８】図７中のＢ−Ｂ線に沿って示す断面図である。
【図９】図７の加飾積層体を前方斜め上方から見た斜視図である。
【発明を実施するための形態】
【００２５】
以下、本発明の実施の形態を、図面を参照しながら説明する。
図１、図２、図３は本発明の加飾積層体の第１実施例を示すものであり、図１は平面図、図２は図１中のＡ−Ａ線に沿って示す断面図、図３は前方左側斜め上方から見た斜視図である。
この加飾積層体は図２に示されるように、表面側から裏面側にかけて、遮蔽層４／加飾層３／基板１／鏡面層２、と云う積層構造を有する。
【００２６】
本実施例では、基板１はアクリル樹脂製で厚さ３ｍｍの平板片を使用している。
また、基板１の裏面側の全面にホットスタンプにより真空蒸着による金属箔膜層２ｍを積層し鏡面層２としている。
また、着色した印刷層３ａを加飾層３とし、鏡面層２に使用したものと色合い、材質、あるいは光沢等が同種の金属箔膜層４ｍを遮蔽層４としているが、これら印刷層３ａと金属箔膜層４ｍを予め積層した転写フィルムを用意しておいて、ホットスタンプにより基板１の表面側に積層したものである。
ここで、図１に示されるように、加飾層３と遮蔽層４は共に矩形帯状で、加飾層３の端縁３ｅは遮蔽層４の端縁４ｅの内側に全周に亘って後退した構成としており、後退距離ｄａは全周に亘って０．５ｍｍとしている。
【００２７】
この、加飾積層体を基板１の表面に対して垂直方向から見ると、図１の平面図に示すように、加飾層３は遮蔽層４の裏側に隠れて表面側に見えない。
なお、図１では遮蔽層４を矩形状に明確に描いているが、実際には鏡面層２と遮蔽層４は共に真空蒸着による同種の金属箔膜層２ｍ、金属箔膜層４ｍであり、鏡面層２と遮蔽層４の境界が目立つことなく、基板１全体に均一にメタリック調の光沢が現出する。
【００２８】
図３は、図１の積層加飾体を図中、前方左側斜め上方から見た斜視図であり、このように斜め上方から基板１を見ると、鏡面層２の反射による加飾層３の虚像３ｖの一部が、基板１の深い位置に遮蔽層４の端縁４ｅを縁取るように現出し、遮蔽層４が透明な基板１内で浮いたような視覚効果が発揮される。
【００２９】
図４は、鏡面層２による光線Ｌの反射による加飾層３の虚像３ｖの見え方に係る概略説明図である。
図４（ａ）は見る方向Ｖｐを、垂直方向からどの程度の角度にすると加飾層３の虚像３ｖの端縁３ｅが見え始めるかを説明するためのものであり、基板１の厚さをｔｍｍ、加飾層３の端縁３ｅの遮蔽層４の端縁４ｅからの後退距離をｄａとすると、加飾層３の虚像３ｖの端縁３ｅが見え始める角度Ａｎａ（°）は次の（１）式により算出することができる。
・ｔａｎ（Ａｎａ）＝ｄａ／２ｔ・・・（１）式
上記説明した第１実施例ではｔは３ｍｍ、ｄａは０．５ｍｍで、角度Ａｎａは４．８°であり、４．８°までは加飾層３の虚像３ｖは見えないが、４．８°でその端縁３ｅが見え始め、さらに見える範囲が広がっていくことが予測される。
そして、基板１の厚さを薄くすること、後退距離ｄａを大きくすることにより加飾層３の虚像３ｖが見えない角度範囲を大きくすることができる。
因みに、後退距離ｄａを０とした場合、すなわち加飾層３の端縁３ｅと遮蔽層４の端縁４ｅを一致させた場合には、当然ではあるが、垂直方向から少しでも傾くと加飾層３の虚像３ｖの端縁３ｅが現出する。
【００３０】
図４（ｂ）は見る方向Ｖｐを、垂直方向からどの程度の角度Ａｎｂにすると、加飾層３の虚像３ｖの見える範囲がどの程度になるかを説明するためのものであり、角度Ａｎｂ（°）と虚像３ｖの見える範囲ｄｂ（ｍｍ）の関係は次の（２）式で算出することができる。
・ｔａｎ（Ａｎｂ）＝（ｄａ＋ｄｂ）／２ｔ・・・（２）式
上記説明した第１実施例で、角度Ａｎｂを３０°とした場合のｄｂを算出すると、虚像３ｖの端縁３ｅから３ｍｍ程度の範囲が見えことが予測される。
【００３１】
次に、図５、６は本発明の加飾積層体の第２実施例を示すもので、図５（ａ）は加飾積層体の平面図、（ｂ）は加飾層の積層パターンを示す平面図である。
積層構造は図２に示す積層構造と基本的には同一で、透明な基板１の裏面側に金属箔膜層２ｍからなる鏡面層２を積層し、表面側に印刷層３ａからなる加飾層３（図５中黒塗りで示している。）を積層し、この加飾層３を被覆するように金属箔膜層４ｍからなる遮蔽層４を積層したものである。
図５（ａ）に９本の横長矩形状の遮蔽層４が、この遮蔽層４である非積層領域Ｎにより所定の隙間Ｓをあけて並列状に横方向に延設されており、
一方、加飾層３の積層パターンは、図５（ｂ）中、黒く塗って示されるように波状に湾曲した縞模様を、上記隙間Ｓに相当する部分で分断したものである。
【００３２】
そして、図６は上記した図５（ａ）に示した加飾積層体を、前方、斜め上方から見たものであり、縞模様状に積層された加飾層３の虚像３ｖが透明な基板１の奥の方から、遮蔽層４の非積層領域Ｎを介して現出し、縞模様が３次元的に広がるような視覚効果が発揮される。
【００３３】
次に、図７、８、９は本発明の加飾積層体の第３実施例を示すもので、図７は平面図、図８は図７中のＢ−Ｂ線に沿って示す断面図、図９は前方斜め上方から見た斜視図である。
この加飾積層体の積層構造は図８に示すが、基本的には図２示す積層構造を有するが、本実施例では加飾層３として、表面に凹凸を形成してホログラム形成面としたホログラムフィルムによるホログラム層３ｈを波状に湾曲した縞模様のパターンに積層し、このパターンに沿うように遮蔽層４として着色した印刷層４ａ（図７中では黒く塗潰して示している。）積層している。
なお、この場合も、ホログラム層３ｈと印刷層４ａはホログラム層３ｈと印刷層４ａを予め積層した転写フィルムを用意しておいて、ホットスタンプにより基板１の表面側に積層している。
【００３４】
この加飾積層体を垂直方向から見た際は、図７に示されるようにホログラム層３ｈによる加飾効果は、遮蔽層４により遮蔽されて現出していないが、波状に湾曲した縞模様のパターンに積層された遮蔽層４である印刷層４ａ自体による加飾効果が発揮されているのが、第１、２実施例の場合に比較して特徴的である。
そして、図９のように、前方、斜め上方から見ると、図中、黒く塗潰して示される遮蔽層４の縞模様の間の非積層領域Ｎを介して、この黒く塗潰して示される遮蔽層４の縞模様に沿った灰色で塗り潰して示される縞模様の領域でホログラム層３ｈと鏡面層２による光学的な干渉効果により、虹色に煌くような、さらには浮かび上がるような視覚効果が現出される。
【００３５】
以上、本発明の加飾積層体の実施形態とその作用効果について、実施例に沿って説明したが、本発明の実施形態は上記実施例に限定されるものではなく、本願の作用効果が発揮される範囲で、さまざまなバリーションを採用することができ、
基板の厚さ、加飾層の種類と積層パターン、遮蔽層の種類と積層パターン、加飾層と遮蔽層の積層態様を組み合わせることにより、加飾効果をさまざまな態様で現出させることができる。
【産業上の利用可能性】
【００３６】
本発明による加飾積層体は、見る方向による加飾層による加飾効果の遮蔽と現出、そして鏡面層による立体的な視覚効果を含め、加飾効果を高度に、またダイナミックに変化させて現出させることができるものであり、たとえばコンパクト容器の蓋材を始め、化粧品容器等の分野での幅広い展開が期待できる。
【符号の説明】
【００３７】
１  ；基板
２  ；鏡面層
２ｍ；金属箔膜層
３  ；加飾層
３ｅ；（加飾層の）端縁
３ｖ；（加飾層の）虚像
３ａ；印刷層
３ｈ；ホログラム層
４  ；遮蔽層
４ｅ（遮蔽層の）端縁
４ａ；印刷層
４ｍ；金属箔膜層
ｄａ；後退距離
Ｎ  ；（遮蔽層の）非積層領域
Ｌ  ；光線
Ｓ  ；隙間
Ｖｐ；見る方向
【図１】
2014030924.tif 000003
【図２】
2014030924.tif 000004
【図４】
2014030924.tif 000005
【図５】
2014030924.tif 000006
【図６】
2014030924.tif 000007
【図７】
2014030924.tif 000008
【図８】
2014030924.tif 000009
【図３】
2014030924.tif 000010
【図９】
2014030924.tif 000011